(57)【要約】【課題】噴射口の数や洗浄液の消費量を増やすことなく、所定エリアに必要十分な洗浄液を噴射可能なワイパ装置を実現する。【解決手段】ワイパ装置１は、アームヘッド１０と、アームヘッド１０の先端に連結されるシャンク２０と、シャンク２０に装着され、払拭面を払拭するワイパブレードと、シャンク２０の長手方向に沿って設けられ、洗浄液が流通する流路４０と、流路４０の一端に設けられ、洗浄液をシャンク２０の先端側に向けて噴射する噴射口４３ａ，４４ａと、シャンク２０の内側に設けられ、当該シャンク２０の短手方向に延在するリブ５０と、を有する。リブ５０は、噴射口４３ａ，４４ａから噴射された洗浄液が当たる位置に配置され、噴射口４３ａ，４４ａから噴射された洗浄液の向きを払拭面に向かう方向に変更する。【選択図】図４
2020090239.tif 000002
【特許請求の範囲】
【請求項１】
アームヘッドと、
前記アームヘッドの先端に連結されるシャンクと、
前記シャンクに装着され、払拭面を払拭するワイパブレードと、
前記シャンクの長手方向に沿って設けられ、洗浄液が流通する流路と、
前記流路の一端に設けられ、洗浄液を前記シャンクの先端側に向けて噴射する噴射口と、
前記シャンクの内側に設けられ、当該シャンクの短手方向に延在するリブと、を有し、
前記リブは、前記噴射口から噴射された洗浄液が当たる位置に配置され、前記噴射口から噴射された洗浄液の向きを前記払拭面に向かう方向に変更する、
ワイパ装置。
【請求項２】
請求項１に記載のワイパ装置であって、
複数の前記リブが、前記シャンクの長手方向に沿って所定間隔で設けられている、
ワイパ装置。
【請求項３】
請求項１または２に記載のワイパ装置であって、
前記シャンクの内側に設けられ、当該シャンクの長手方向に延在する仕切り壁を有し、
前記流路には、前記仕切り壁の一側に設けられた第１流路と、前記仕切り壁の他側に設けられた第２流路と、が含まれる、
ワイパ装置。
【請求項４】
請求項３に記載のワイパ装置において、
前記シャンクの短手方向において、複数の前記リブの少なくとも１つと前記仕切り壁との間に隙間が設けられている、
ワイパ装置。
【請求項５】
請求項２〜４のいずれか一項に記載のワイパ装置であって、
複数の前記リブのうち、前記シャンクの先端に最も近接しているリブを除く他のリブと、前記シャンクの内面との間に、前記噴射口から噴射された洗浄液が通過可能な隙間が設けられている、
ワイパ装置。
【発明の詳細な説明】
【技術分野】
【０００１】
本発明は、自動車等の車両に搭載されるワイパ装置に関するものである。
【背景技術】
【０００２】
自動車等の車両には、フロントガラスやリアガラス等に付着した汚れを洗い流すための洗浄液が噴射される噴射口や噴射孔が設けられる。洗浄液は「ウォッシャ液」と呼ばれ、噴射口や噴射孔は「ウォッシャノズル」と呼ばれることがある。そこで、本明細書においても、「ウォッシャ液」や「ウォッシャノズル」という呼称を適宜用いる。
【０００３】
従来、フロントガラス用のウォッシャノズルは、エンジンフード（ボンネット）に設けられており、ウォッシャノズルとフロントガラス上の着水点との間には数十センチの距離が存在した。また、リアガラス用のウォッシャノズルは、リアガラスの直上や直下に設けられており、ウォッシャノズルとリアガラス上の着水点との間にも数十センチの距離が存在した。このため、走行中にウォッシャノズルからウォッシャ液を噴射させると、噴射されたウォッシャ液が走行風によって飛ばされてしまい、フロントガラスやリアガラスに十分な量のウォッシャ液が到達しないことがあった。また、走行中であるか否かを問わず、ウォッシャ液がフロントガラス上やリアガラス上の所定エリアの外側にまで噴射されることがあった。この場合、ワイパ装置を作動させても、フロントガラス上やリアガラス上にウォッシャ液の一部が残存することがあった。
【０００４】
そこで近年では、ウォッシャノズルが設けられたワイパブレードや、当該ワイパブレードを備えるワイパ装置が提案されている。例えば、特許文献１に記載されているワイパブレードは、ブレードラバーと、当該ブレードラバーを保持するラバーホルダと、を有する。ラバーホルダには、その長手方向に沿って延びる水路と、水路の内外に連通する複数の噴射口と、が形成されている。水路内に洗浄液が供給されると、その水圧によって噴射口が開口し、洗浄液がフロントガラスやリアガラス等の払拭面に向けて噴射される。
【先行技術文献】
【特許文献】
【０００５】
【特許文献１】国際公開第２０１３／０８０９９７号
【発明の概要】
【発明が解決しようとする課題】
【０００６】
特許文献１に記載されているワイパブレードを用いた場合、フロントガラスやリアガラスに対して極めて近距離からウォッシャ液が噴射されるので、噴射されたウォッシャ液はフロントガラス上やリアガラス上の所定エリア内に高確率で到達する。
【０００７】
一方、ウォッシャ液を所定エリア内に均一に行き渡らせるためには噴射点を多くする必要がある。そして、特許文献１に記載されているワイパブレードにおいて噴射点を多くするためには、噴射口の数を増やす必要がある。しかし、噴射口の増設は生産コストの上昇を招く。また、ワイパブレードの先端付近に設けられている噴射口から十分な量のウォッシャ液を噴射させるためには、水路に多くのウォッシャ液を供給する必要があり、ウォッシャ液の消費量が増える虞がある。
【０００８】
本発明の目的は、噴射口の数や洗浄液の消費量を増やすことなく、所定エリアに必要十分な洗浄液を噴射可能なワイパ装置を実現することである。
【課題を解決するための手段】
【０００９】
本発明のワイパ装置は、アームヘッドと、前記アームヘッドの先端に連結されるシャンクと、前記シャンクに装着され、払拭面を払拭するワイパブレードと、前記シャンクの長手方向に沿って設けられ、洗浄液が流通する流路と、前記流路の一端に設けられ、洗浄液を前記シャンクの先端側に向けて噴射する噴射口と、前記シャンクの内側に設けられ、当該シャンクの短手方向に延在するリブと、を有する。前記リブは、前記噴射口から噴射された洗浄液が当たる位置に配置され、前記噴射口から噴射された洗浄液の向きを前記払拭面に向かう方向に変更する。
【００１０】
本発明の一態様では、複数の前記リブが、前記シャンクの長手方向に沿って所定間隔で設けられる。
【００１１】
本発明の他の一態様では、前記シャンクの内側に設けられ、当該シャンクの長手方向に延在する仕切り壁が設けられる。また、前記流路には、前記仕切り壁の一側に設けられた第１流路と、前記仕切り壁の他側に設けられた第２流路と、が含まれる。
【００１２】
本発明の他の一態様では、前記シャンクの短手方向において、複数の前記リブの少なくとも１つと前記仕切り壁との間に隙間が設けられる。
【００１３】
本発明の他の一態様では、複数の前記リブのうち、前記シャンクの先端に最も近接しているリブを除く他のリブと、前記シャンクの内面との間に、前記噴射口から噴射された洗浄液が通過可能な隙間が設けられる。
【発明の効果】
【００１４】
本発明によれば、噴射口の数や洗浄液の消費量を増やすことなく、所定エリアに必要十分な洗浄液を噴射可能なワイパ装置が実現される。
【図面の簡単な説明】
【００１５】
【図１】ワイパ装置の斜視図である。
【図２】ワイパ装置の側面図である。
【図３】ワイパ装置の動作を示す説明図である。
【図４】シャンクの内側を示すワイパ装置の斜視図である。
【図５】リブおよび仕切り壁を示すシャンク内側の部分拡大図である。
【図６】リブを示すシャンクの部分断面図である。
【図７】リブによってウォッシャ液の方向が変更される様子を示す模式図である。
【図８】ワイパ装置の変形例の一つを示す部分拡大図である。
【図９】ワイパ装置の変形例の他の一つを示す部分拡大図である。
【図１０】ワイパ装置の変形例のさらに他の一つを示す部分拡大図である。
【発明を実施するための形態】
【００１６】
以下、本発明のワイパ装置の実施形態の一例について図面を参照しながら詳細に説明する。本実施形態に係るワイパ装置は、自動車等の車両に搭載され、当該車両のフロントガラスを払拭するワイパ装置である。
【００１７】
図１，図２に示されるように、本実施形態に係るワイパ装置１は、アームヘッド１０と、シャンク２０と、ワイパブレード３０と、を有する。アームヘッド１０は金属材料によって形成されており、シャンク２０はアームヘッド１０の材料よりも軟質な材料（例えば、エラストマ）によって形成されている。もっとも、金属製の補強部材をシャンク２０の長手方向一部にインサートすることもできる。
【００１８】
図１に示されるように、アームヘッド１０の基端はピボット軸１００に連結される。一方、アームヘッド１０の先端には、シャンク２０の後端が回動可能に連結される。言い換えれば、アームヘッド１０の両端のうち、ピボット軸１００に連結される一端が「基端」であり、シャンク２０が連結される他の一端が「先端」である。また、シャンク２０の両端のうち、アームヘッド１０に連結される一端が「後端」であり、後端と反対側の他の一端が「先端」である。
【００１９】
図２に示されるワイパブレード３０は、細長に成形されたゴム部材である。図示は省略するが、ワイパブレード３０には、その略全長に亘って一対の金属板（バーティブラ）が内蔵されている。また、ワイパブレード３０の下部にはリップ部３１が一体成形されている。ワイパブレード３０の長手方向中央または略中央には、シャンク２０に設けられているフック状の連結部２１に連結可能な取付部３２が設けられている。ワイパブレード３０の取付部３２がシャンク２０の連結部２１に連結されることにより、ワイパブレード３０がシャンク２０に装着される。取付部３２は、連結部２１に対して連結および連結解除が可能であり、必要に応じてワイパブレード３０を交換することができる。また、図示されているワイパブレード３０は直線状であるが、実際のワイパブレード３０は湾曲している。具体的には、ワイパブレード３０は、長手方向両端がシャンク２０から最も離間し、長手方向中央（取付部３２）がシャンク２０に最も近接するように湾曲している。
【００２０】
再び図１を参照する。図示されているピボット軸１００は、車両に搭載されているワイパモータとリンク機構を介して接続されており、中心軸Ｘを回転中心として往復回転する。言い換えれば、ピボット軸１００は、中心軸Ｘを回転中心として時計回りと反時計回りとに回転する。ピボット軸１００が往復回転すると、図３に示されるように、アームヘッド１０およびシャンク２０が払拭面であるフロントガラス１０１上で矢印ａ方向（往路方向）および矢印ｂ方向（復路方向）に往復動し、シャンク２０に装着されているワイパブレード３０のリップ部３１（図２）によってフロントガラス１０１が払拭される。つまり、ワイパブレード３０がフロントガラス１０１上で揺動し、リップ部３１によってフロントガラス１０１が払拭される。
【００２１】
図３に示されるアームヘッド１０とシャンク２０との間にはスプリング１１（図４）が設けられている。スプリング１１の一端はアームヘッド１０に係止され、スプリング１１の他端はシャンク２０に係止されている。図３に示されているシャンク２０は、スプリング１１（図４）の弾性復元力によってフロントガラス１０１側に引き寄せられており、シャンク２０に装着されているワイパブレード３０のリップ部３１（図２）がフロントガラス１０１に押し付けられている。
【００２２】
図４示されるように、車両搭載時にフロントガラス１０１（図３）と対向するシャンク２０の内側（裏側）には、洗浄液が流通する流路４０が当該シャンク２０の長手方向に沿って設けられている。本実施形態では、シャンク２０の一側に沿って第１流路４１が設けられ、シャンク２０の他側に沿って第２流路４２が設けられている。つまり、流路４０には、第１流路および第２流路の２つが含まれる。もっとも、以下の説明では、第１流路４１と第２流路４２とを特に区別しない場合、これらを「流路４０」と総称する場合がある。
【００２３】
流路４０は、シャンク２０に内面に沿って配策されたチューブによって形成されている。第１流路４１を形成しているチューブの一端（先端）にはウォッシャノズル４３が装着されており、第２流路４２を形成しているチューブの一端（先端）にはウォッシャノズル４４が装着されている。ウォッシャノズル４３，４４は、それらが配置されるシャンク２０の内面形状に応じた外形を有しており、互いの外形は若干異なる。もっとも、両者の外形の違いは本質的な違いではなく、両者は実質的に同一のウォッシャノズルである。
【００２４】
第１流路４１および第２流路４２を形成している各チューブの他端（基端）は車両に搭載されているウォッシャポンプに接続されている。所定の操作に伴ってウォッシャポンプが作動すると、ウォッシャタンク内の洗浄液（ウォッシャ液）が第１流路４１および第２流路４２に供給される。それぞれのウォッシャノズル４３，４４は噴射口４３ａ，４４ａを備えており、これら噴射口４３ａ，４４ａはシャンク２０の先端側に向けられている。よって、ウォッシャポンプの作動に伴って流路４０にウォッシャ液が供給されると（圧送されると）、それぞれのウォッシャノズル４３，４４の噴射口４３ａ，４４ａからシャンク２０の先端に向けてウォッシャ液が噴射される。もっとも、２つの噴射口４３ａ，４４ａから同時にウォッシャ液を噴射させることも、２つの噴射口４３ａ，４４ａのいずれか一方からのみウォッシャ液を噴射させることもできる。
【００２５】
図４に示されるように、シャンク２０の内側であって、噴射口４３ａ，４４ａよりも先端側には、当該シャンク２０の短手方向に延在する複数のリブ５０と、当該シャンク２０の長手方向に延在する仕切り壁６０と、が形成されている。以下の説明では、シャンク２０の長手方向を「長さ方向」、短手方向を「幅方向」と呼ぶ場合がある。シャンク２０の長さ方向に延在する仕切り壁６０は、シャンク２０の幅方向に延在するそれぞれのリブ５０と直交または略直交している。また、それぞれのリブ５０は、噴射口４３ａ，４４ａからシャンク２０の先端に向けて噴射されたウォッシャ液が当たる位置に配置されている。さらに、それぞれのリブ５０は、噴射口４３ａ，４４ａから噴射されてシャンク２０の先端側に向かうウォッシャ液の進路に対して傾斜している。よって、噴射口４３ａ，４４ａからシャンク２０の先端に向けて噴射されたウォッシャ液は、それぞれのリブ５０に当たり、その向きがフロントガラス１０１（図３）に向かう方向に変更される。つまり、それぞれのリブ５０は、噴射口４３ａ，４４ａから噴射されたウォッシャ液の向きをフロントガラス１０１（図３）に向かう方向に変更する。尚、リブ５０によるウォッシャ液の向きの変更については後に詳述する。
【００２６】
図５に示されるように、仕切り壁６０はシャンク２０の幅方向中央または略中央に形成されており、当該仕切り壁６０の一側に３つのリブ５１，５３，５５が設けられており、当該仕切り壁６０の他側に他の３つのリブ５２，５４，５６が設けられている。また、仕切り壁６０の前方にはリブ５７が設けられており、仕切り壁６０の先端はリブ５７に突き当たっている。
【００２７】
ここで、リブ５１，５３，５５が設けられている仕切り壁６０の一側は、図３に示されている矢印ａ方向側（払拭方向往路側）に対応し、リブ５２，５４，５６が設けられている仕切り壁６０の他側は、図３に示されている矢印ｂ方向側（払拭方向復路側）に対応する。つまり、仕切り壁６０を基準としたとき、リブ５１，５３，５５は、払拭方向往路側に設けられており、リブ５２，５４，５６は、払拭方向復路側に設けられている。そこで、以下の説明では、リブ５１，５３，５５を「往路側リブ群５０Ａ」と総称し、リブ５２，５４，５６を「復路側リブ群５０Ｂ」と総称する場合がある。また、シャンク２０の先端に最も近接しているリブ５７を「先端リブ５７」と呼ぶ場合がある。
【００２８】
往路側リブ群５０Ａに含まれる３つのリブ５１，５３，５５は、シャンク２０の長さ方向に沿って所定間隔で配置されている。同じく、復路側リブ群５０Ｂに含まれる３つのリブ５２，５４，５６は、シャンク２０の長さ方向に沿って所定間隔で配置されている。本実施形態では、リブ５１，５３，５５の配置間隔とリブ５２，５４，５６の配置間隔とは同一である。この結果、リブ５１とリブ５２とは仕切り壁６０を挟んで隣接している。同様に、リブ５３とリブ５４とは仕切り壁６０を挟んで隣接しており、リブ５５とリブ５６とは仕切り壁６０を挟んで隣接している。もっとも、往路側リブ群５０Ａと仕切り壁６０との間には隙間５８が設けられており、復路側リブ群５０Ｂと仕切り壁６０との間には隙間５９が設けられている。つまり、先端リブ５７は仕切り壁６０に連接している一方、先端リブ５７を除く他のリブ５１，５２，５３，５４，５５，５６は、仕切り壁６０に連接していない。
【００２９】
また、図６に示されるように、往路側リブ群５０Ａとシャンク２０との間にも隙間７０が設けられている。具体的には、それぞれのリブ５１，５３，５５の上面５１ａ，５３ａ，５５ａと、シャンク２０の内面（天井面２０ａ）との間に、ウォッシャノズル４３の噴射口４３ａ（図４）から噴射されたウォッシャ液が通過可能な隙間７０が設けられている。図示は省略するが、図５に示されている復路側リブ群５０Ｂに含まれるそれぞれのリブ５２，５４，５６の上面とシャンク２０の内面（天井面２０ａ）との間にも同様の隙間が設けられている。
【００３０】
次に、複数のリブ５０によるウォッシャ液の向きの変更について説明する。図７は、往路側リブ群５０Ａによってウォッシャ液の向きが変更される様子を示す模式図である。往路側リブ群５０Ａに含まれるリブ５１，５３，５５および先端リブ５７は、ウォッシャポンプの作動に伴ってウォッシャノズル４３から噴射されるウォッシャ液が当たる位置に配置されている。もっとも、ウォッシャノズル４３から噴射されるウォッシャ液の勢い（水圧）は、ウォッシャポンプの起動と同時に最大になるわけではなく、次第に上昇する。また、それぞれのリブ５１，５３，５５の上面５１ａ，５３ａ，５５ａとシャンク２０の天井面２０ａとの間には、ウォッシャノズル４３から噴射されたウォッシャ液が通過可能な隙間７０が設けられている。
【００３１】
よって、ウォッシャポンプが起動されると、ウォッシャノズル４３から噴射されたウォッシャ液は、ウォッシャノズル４３に最も近いリブ５１に当たる。次いで、水圧が上昇したウォッシャ液は、リブ５１の上面５１ａとシャンク２０の天井面２０ａとの間の隙間７０を通過して次のリブ５３に到達する。つまり、ウォッシャ液がリブ５１の上を通過してリブ５３に当たる。その後、ウォッシャ液は、リブ５３の上を通過して次のリブ５５に当たった後、リブ５５の上を通過して先端リブ５７に当たる。このように、ウォッシャポンプが起動されると、ウォッシャ液がリブ５１，５３，５５，５７に順次当たる。
【００３２】
また、ウォッシャノズル４３から噴射されるウォッシャ液の勢い（水圧）は、ウォッシャポンプの停止と同時に最小になるわけではなく、次第に低下する。よって、ウォッシャポンプが停止されると、それまで先端リブ５７に当たっていたウォッシャ液がリブ５５，５３，５１に順次当たる。
【００３３】
上記のように、ウォッシャポンプの起動と停止が一回行われると、ウォッシャ液は、リブ５１，５３，５５，５７にこの順で当たった後、リブ５５，５３，５１にこの順で当たる。この間、各リブ５１，５３，５５，５７に当たったウォッシャ液は、それぞれのリブ５１，５３，５５，５７によってフロントガラス１０１の方向に跳ね返される。つまり、ウォッシャノズル４３からシャンク２０の先端に向けて噴射されたウォッシャ液の向きがフロントガラス１０１に向かう方向に変更される。
【００３４】
ここでは、往路側リブ群５０Ａによるウォッシャ液の向きの変更について説明したが、復路側リブ群５０Ｂも往路側リブ群５０Ａと同様の作用を奏する。つまり、図４に示されるウォッシャノズル４４からシャンク２０の先端に向けて噴射されたウォッシャ液の向きが、復路側リブ群５０Ｂに含まれるリブ５２，５４，５６および先端リブ５７により、フロントガラス１０１（図３）に向かう方向に変更される。
【００３５】
尚、図６，７に示されるように、先端リブ５７とシャンク２０の天井面２０ａとの間には、隙間７０に相当する隙間は設けられていない。つまり、先端リブ５７を除く他のリブ５１，５２，５３，５４，５５，５６と、シャンク２０の内面（天井面２０ａ）との間には、ウォッシャ液が通過可能な隙間７０が設けられている一方、先端リブ５７とシャンク２０の内面（天井面２０ａ）との間には、隙間が設けられていない。よって、上記のようにして先端リブ５７に到達したウォッシャ液が先端リブ５７を越えることはなく、シャンク２０の先端からウォッシャ液が飛び出すことはない。
【００３６】
以上のように、本実施形態に係るワイパ装置１には、噴射口４３ａ，４４ａからシャンク２０の先端に向けて噴射されたウォッシャ液の向きをフロントガラス１０１に向かう方向に変更する複数のリブ５０が設けられている。よって、１つの噴射口（噴射口４３ａまたは噴射口４４ａ）から一方向（シャンク２０の先端方向）に向かって噴射されたウォッシャ液が、シャンク２０の長手方向における複数箇所においてフロントガラス１０１に向けて拡散される。したがって、噴射口の数やウォッシャ液の消費量を増やすことなく、フロントガラス１０１上の所定エリアに必要十分なウォッシャ液を拡散させることができる。特に、本実施形態に係るワイパ装置１では、上記複数のリブ５０がシャンク２０の長手方向に沿って並んでいる。つまり、上記複数のリブ５０は、ワイパブレード３０の長手方向に沿って配置されている。よって、ワイパブレード３０の長手方向全域または略全域において、ウォッシャ液を効率よく拡散させることができる。
【００３７】
また、本実施形態に係るワイパ装置１には、第１流路４１および第２流路４２が設けられており、これら２つの流路を適宜使い分けることができる。例えば、払拭方向に応じて第１流路４１と第２流路４２とを使い分けることができる。具体的には、ワイパブレード３０が往路方向に動く際には、仕切り壁６０よりも払拭方向往路側に設けられている第１流路４１を使用し、ワイパブレード３０が復路方向に動く際には、仕切り壁６０よりも払拭方向復路側に設けられている第２流路４２を使用することができる。そして、第１流路４１の使用時には往路側リブ群５０Ａによってウォッシャ液が拡散され、第２流路４２の使用時には復路側リブ群５０Ｂによってウォッシャ液が拡散される。また、往路側リブ群５０Ａと復路側リブ群５０Ｂとの間には仕切り壁６０が設けられているので、第１流路４１の使用時に往路側リブ群５０Ａによって拡散されるウォッシャ液が復路側に流出することが防止され、第２流路４２の使用時に復路側リブ群５０Ｂによって拡散されるウォッシャ液が往路側に流出することが防止される。
【００３８】
本発明は上記実施の形態に限定されるものではなく、その要旨を逸脱しない範囲で種々変更可能である。特に、リブ５０や仕切り壁６０の数，配置，形状，傾斜角度などは、払拭面の大きさや形状などに応じて適宜変更することができる。また、複数のリブ５０の配置間隔（ピッチ）をシャンク２０（ワイパブレード３０）の長手方向において異ならせることにより、同一払拭面上に、ウォッシャ液の噴射量が多い領域と少ない領域とを形成することができる。例えば、フロントガラスの上部内側にカメラやセンサが設置されている場合、フロントガラスの上部に対するウォッシャ液の噴射量を他の領域よりも多くすることが好ましい。
【００３９】
図８〜図１０に、リブ５０や仕切り壁６０の数，配置，形状などの変形例を示す。図８に示されている変形例では、図５に示されている先端リブ５７および仕切り壁６０が存置され、リブ５１〜５６が省略されている。また、図９に示されている変形例では、図５に示されている先端リブ５７が存置され、リブ５１〜５６および仕切り壁６０が省略されている。さらに、図１０に示されている変形例では、図５に示されている先端リブ５７およびリブ５１，５３，５５が存置され、リブ５２，５４，５６が省略されている。さらに、存置されたリブ５１，５３，５５がシャンク２０の幅方向に拡張され、シャンク２０の幅方向両側に連接されている。もっとも、図１０に示されているリブ５１，５３，５５とシャンク２０の天井面２０ａとの間には隙間７０が存在している。尚、図５に示されているリブ５２，５４，５６を存置させ、これらをシャンク２０の幅方向に拡張させてもよいことは当然である。
【００４０】
また、シャンク２０に設けられる流路４０は、１つであってもよく、３つ以上であってもよい。さらに、流路４０をシャンク２０に内蔵させてもよい。
【００４１】
本明細書では、フロントガラスを払拭するワイパ装置を例にとって本発明の実施形態の幾つかについて説明した。しかし、本発明は、フロントガラス以外の払拭面（例えば、リアガラスやヘッドライトカバーなど）を払拭するワイパ装置にも適用することができる。
【符号の説明】
【００４２】
１    ワイパ装置
１０    アームヘッド
１１    スプリング
２０    シャンク
２０ａ    天井面
２１    連結部
３０    ワイパブレード
３１    リップ部
３２    取付部
４０    流路
４１    第１流路
４２    第２流路
４３，４４    ウォッシャノズル
４３ａ，４４ａ    噴射口
５０    リブ
５０Ａ    往路側リブ群
５０Ｂ    復路側リブ群
５１，５２，５３，５４，５５，５６    リブ
５１ａ，５３ａ，５５ａ    上面
５７    リブ（先端リブ）
５８，５９，７０    隙間
６０    仕切り壁
１００    ピボット軸
１０１    フロントガラス
【図１】
2020090239.tif 000003
【図２】
2020090239.tif 000004
【図３】
2020090239.tif 000005
【図４】
2020090239.tif 000006
【図５】
2020090239.tif 000007
【図６】
2020090239.tif 000008
【図７】
2020090239.tif 000009
【図８】
2020090239.tif 000010
【図９】
2020090239.tif 000011
【図１０】
2020090239.tif 000012